(57)【要約】【課題】  設置場所を選ぶことなく、重量のある植木鉢でも立体的に配置できると共に、鉢の大きさに応じて設置数を増減できて、支柱まわりの任意の位置に配置できる植木鉢スタンドの提供を目的とする。【解決手段】  柱状よりなる支柱の一端に起立手段を設けると共に、この支柱にそって上下動と回転とを可能にした主筒体から、この主筒体と略直交する方向に、副筒体を突出させて両者を一体化した継手を形成した。  この継手の副筒体には、アームを挿入すると共に、このアームにそって移動する鉢受を設けることで鉢設置体を形成した。支柱に対する継手の上下動と、アームに対する鉢受との移動とで、乗せた植木鉢を支柱の任意の位置に配置できるようにした。【選択図】        図１
2006006295.tif 000002
【特許請求の範囲】
【請求項１】
柱状の支柱と、
この支柱の一端に取付けられて支柱を起立した状態に支持する起立手段と、
この起立手段により起立した前記支柱にそって移動すると共に、この支柱を中心として回転可能な状態で配設した管状の主筒体と、この主筒体に一体化されて前記支柱の延出方向とは異なる方向に突出した管状の副筒体を有する継手と、この継手の前記副筒体に取付けたアームと、このアームに支持される鉢受とで形成した鉢設置体とからなる植木鉢スタンド。
【請求項２】
柱状の支柱と、
この支柱の一端に取付けられて支柱を起立した状態に支持する起立手段と、
この起立手段により起立した前記支柱にそって移動すると共に、この支柱を中心として回転可能な状態で配設した管状の主筒体と、この主筒体と一体化されて前記支柱の延出方向とは異なる方向に突出した管状の副筒体を有する継手と、この継手の前記副筒体に取付けたアームと、このアームにそって移動すると共に、移動した任意の位置で固着できる鉢受とで形成した鉢設置体とからなり、前記鉢受と支柱との間隔を変えられるようにしたことを特徴とする植木鉢スタンド。
【請求項３】
柱状の支柱と、
この支柱の一端に取付けられて支柱を起立した状態に支持する起立手段と、
この起立手段により起立した前記支柱にそって移動すると共に、この支柱を中心として回転可能な状態で配設した管状の主筒体と、この主筒体に一体化されて前記支柱の延出方向とは異なる方向に突出した管状の副筒体を有する継手と、この継手の前記副筒体に取付けするアームと、このアームにそって移動すると共に、移動した任意の位置で固着できる鉢受とで形成した鉢設置体とからなり、この鉢設置体の複数個を前記支柱に対して放射状に配設すると共に、アームに取付けた鉢受を支柱の上方に行くに従って、アームの先端部から順次支柱に近づけるように配置することで、鉢受を円錐形の階段状に配置したことを特徴とする植木鉢スタンド。
【請求項４】
柱状の支柱と、
この支柱の一端に取付けられて支柱を起立した状態に支持する起立手段と、
この起立手段によって起立した前記支柱にそって移動すると共に、この支柱の延出方向とは異なる方向に延出したアームを取付ける継手と、この継手に取付けた前記アームに配設されて、植木鉢を支持する鉢受を有する鉢設置体と、
前記起立した支柱の先端部で、支柱を中心として同一平面上で放射状に突出した接続体を設けた第２の継手と、この第２の継手に接続した複数本の第２のアームと、この複数本の第２のアームを覆う透明シートで形成した温室手段とからなる植木鉢スタンド。
【発明の詳細な説明】
【技術分野】
【０００１】  本発明は、柱状の支柱を用いて植木鉢を立体的に配置すると共に、支柱に対して植木鉢を、任意の位置に配置できるように改善した植木鉢スタンドに関する。
【背景技術】
【０００２】  従来例の植木鉢スタンドとしては、天井と床面との間に支柱を立設して、支柱の周囲に花台を取付けするフラワースタンドがある。（例えば、特許文献１参照）。
また、基台となる大型の植木鉢の中央部に、水を流せるようにした支柱を立設して、支柱の周囲に取付けた専用の植木鉢に、水を供給するようにした多段型植木鉢設置体がある。（例えば、特許文献２参照）。
【特許文献１】  特開２０００−１１６４８４号公報（第２頁、図１）
【特許文献２】  特開２００２−３２５５１２号公報（第２頁、図１）
【発明の開示】
【発明が解決しようとする課題】
【０００３】  特許文献１に示すフラワースタンドは、床面と天井との間に支柱を立設しなければならないので、設置場所が限定され、都合の良い設置場所が無い理由で、使用できないことが多いという欠点があった。
植木鉢を取付ける花台の構造が複雑で高価になるし、支柱に取付ける固定金具もＵ字形なので、管状の支柱との接触面積が少なくて、花台に重量物を乗せるには不安感がある等の欠点があった。
花台は支柱に対して回転方向に移動できるが、移動にはその都度ナットをゆるめたり締付けたりの操作があって、面倒である等の欠点もあった。
特許文献２に示す多段型植木鉢設置体は、植木鉢として専用のものが必要であり、その鉢に花を植えて使用しなければならないという欠点があって、購入した花を乗せてそのまま楽しむことができなかった。植替えに手間取ったり、失敗したりするので使いにくい植木鉢設置体であった。
本発明はこのような不具合を解消するためになされたものであり、設置場所を選ぶことなく、重量のある植木鉢でも、立体的に配置することができると共に、鉢の大きさに応じて設置数を増減したり、支柱まわりの任意の位置に植木鉢を配置したりできる植木鉢スタンドの提供を目的とする。
【発明を解決するための手段】
【０００４】  上記不具合を解決するために、本発明は次のような構成としている。
請求項１に記載した植木鉢スタンドは、柱状の支柱の一端に取付けられて、支柱を起立した状態に支持する起立手段を設けると共に、この支柱にそった移動と回転とを可能とした主筒体に一体化して、主筒体とは異なる方向に突出した管状の副筒体を設けることで、継手を形成した。
このように形成した継手の副筒体には、アームを取付けると共に、このアームに植木鉢を支持する鉢受を取付けた鉢設置体を形成することで、植木鉢スタンドとした。
この植木鉢スタンドによれば、設置場所を選ぶことなく、支柱の周囲に大量の植木鉢を、立体的に配置することができるし、その配置位置も容易に可変することができる。
請求項２に記載した植木鉢スタンドは、請求項１に記載したアームに対して、鉢受を移動可能な状態に設定することで、支柱周囲の任意の位置に、鉢受を設置できるようにした。
このような植木鉢スタンドによれば、支柱と鉢受の間隔を容易に変えることができるので、植木鉢の設置位置を自由に変えることができる。
請求項３に記載した植木鉢スタンドは、請求項２に記載したアームを支柱に対して放射状に配置して積重ねると共に、鉢受を支柱の先端部から、支柱に対して順次近づけるように配置することで、円錐形の階段状に鉢受を配置することができるので、展示効果をあげることができる。
請求項４に記載した植木鉢スタンドは、請求項１に記載した支柱の先端部の同一平面上で、放射状に突出した接続体を有する第２の継手を設けた。
この第２の継手に複数のアームを配設して、このアームを覆うように透明シートを配設することで、温室手段を有する植木鉢スタンドとした。
このような植木鉢スタンドによれば、温室の効果も得られるので、雨よけやビニールハウスの役目をすることができる。
【発明の効果】
【０００５】  本発明によれば、支柱の周囲で鉢受を任意の位置に設置できるように配置したことにより、以下の効果を得ることができた。
すなわち、柱状の支柱と２種類の起立手段とを用いたことにより、重量のある植木鉢でも安定した状態で配置させることができた。
鉢受は支柱に対して、その高さや方向性及び支柱との間隔を簡単に設定できるので、植木鉢を好む位置に配置させることができた。
支柱に取付けできる継手同士を連接して配置できるから、数多くの植木鉢を設置することが可能であり、しかも、鉢受の位置を可変できるので、植木鉢スタンドをクリスマスツリーのような使い方にできる。更に配設した鉢植全体で１つの形を表現することも可能であり、花を利用した芸術品を造ることも可能である。
空間を多く利用したことにより、狭い場所でたくさんの花を飾ることができるようになったなど、多くの効果を得ることができた。
【発明を実施するための最良の形態】
【０００６】  本発明について図面を参照して説明する。図１は本発明の植木鉢スタンドを示す斜視図、図２は図１の分解斜視図である。
本発明の植木鉢スタンド１０は、図１で示すように起立させた支柱１２と、この支柱を起立状態に支持する起立手段２０と、支柱に取付けられて植木鉢を支持する鉢設置体３０とからなる。
鉢設置体３０は、支柱にそって図中の矢印Ａで示す方向に移動したり、図中の矢印Ｂで示すように、支柱１２の周囲を回動したりするように取付けている。
これらの支柱１２と起立手段２０及び鉢設置体３０とは、図２で示すように分解することができる。
支柱１２は足場単管とも呼ばれ、建築現場で建築物の周囲に配設して、作業用の足場として用いられる金属製の管体を用いている。この管体を用いることによって、重量物も確実に支持することができるものである。
この支柱１２を起立させる起立手段２０は、コンクリートブロック等のような重量物よりなる基台２１と、支柱の下部を支持する補助脚２５とからなる。
軽量の植木鉢を乗せる場合は、基台２１又は補助脚２５のうち、どちらか一方を使用することで対応できるが、強風やアンバランスな植木鉢の配置にも対応できるように、互いに異なる２種類の構造物を用いることで、安全性に配慮している。
支柱１２に取付ける鉢設置体３０は、支柱に取付ける継手３１と、この継手から延出したアーム３６と、このアームにそって図中の矢印で示すＣ方向に移動可能な状態で設けた鉢受３７とからなる。
鉢設置体３０は、アームを片側だけに延出したものと、両側に延出したものがあり、３方向、４方向と増加させることも可能である。また、支柱１２の頂部には、専用の頂部鉢受５０が取付けられており、これについては後述する。【０００７】  このような起立手段２０と鉢設置体３０とについて、図面を参照して更に詳細に説明する。図３は図２で示した基台の分解斜視図、図４は図２で示した補助脚２５の要部分解斜視図である。
図３で示すように起立手段２０としての基台２１は、重量物よりなる基台本体２２と、この基台本体に取付ける支柱取付用としての受金具２３とからなる。
基台本体２２は、コンクリートブロックなどで形成した重量物で、支柱１２を起立した状態に支持するものである。図面では方形の立方体として示しているが、丸形や多角形などでも良く、特に形状を限定するものではない。
この基台本体２２には、受金具２３取付用としてボルトなどの取付手段を設けている。受金具２３は、このボルトに取付けられる金属板に、支柱１２を挿入するための筒体を、溶着などによって取付けたものである。この筒体には支柱を固定するために、ボルトなどからなる固定手段２４をその周壁面に設けて、この固定手段２４で支柱を押圧するようにして取付けている。
図４で示すように起立手段２０としての補助脚２５は、支柱に挿入する筒体２６と、この筒体の周壁面に設けた複数の接続体２７とからなる。この接続体２７は管材よりなり、筒体２６とは斜交するように固着している。
この接続体２７に、棒体又は管材よりなる脚本体２８を挿入することで、補助脚２５を形成している。
この補助脚２５を形成する筒体２６の周壁にも、支柱１２に対するボルトなどからなる固定手段２９を配設して、両者を確実に一体化できるように配慮している。【０００８】  鉢設置体３０について、図面を参照して説明する。図５は図２で示した鉢設置体の一部を破断して示す分解斜視図、図６は図５で示す継手の斜視図、図７は図５で示した鉢受の裏面側を示す斜視図である。
図５で示すように鉢設置体３０は、支柱１２に取付ける継手３１と、この継手に挿入して取付けた管体よりなるアーム３６と、このアームに取付ける鉢受４０とからなる。アーム３６は支柱１２と同様に、足場単管を切断して用いている。
このような継手３１と鉢受４０とについて、更に詳細に説明する。
図５で示すように継手３１は、支柱１２を挿入してこの支柱にそって移動できる太さからなる主筒体３２と、この主筒体と直交する方向に突出させた副筒体３４とからなり、両者は溶着によって一体化されている。この副筒体に足場単管としてのアーム３６を挿入するものである。
主筒体３２の周壁には、支柱１２に固着する固定手段３３を、また副筒体３４にはアーム３６を固定するために、固定手段３５を設けている。図示の継手は副筒体３４を１個だけ配設しているが、その周壁面に複数個を設けることも可能である。【０００９】  図７を参照して鉢受４０を説明する。図７は説明の都合上鉢受４０の裏面側を示している。鉢受４０は植木鉢を乗せる皿状容器よりなる皿本体４１と、この皿本体の裏面側に配設したアーム３６に対する取付具４２とからなる。
皿本体４１は、植木鉢スタンド１０を屋外で使用したり、植木に散水をしたりする都合上、プラスチック材やステンレス材などのものを用いている。
取付具４２は、アーム３６にそって移動できる太さに形成した筒体４３と、この筒体に設けられてアーム３６に対する固定手段４４とからなる。この固定手段４４は、前述した継手３１と同様のものである。
筒体４３と皿本体４１とは、筒体に取付けた１対の翼片を介して両者を固着している。アームへの取付けは、固定手段４４としてのボルトによって行う。【００１０】  他の例の鉢受について説明する。図８は他の例の鉢受を示す斜視図ある。
他の例で示す鉢受４５は、植木鉢を挿入する枠体４６と、この枠体を支持する取付具４７とからなる。枠体４６は金属性の棒体を枠形に形成して、植木鉢の外周囲に当接して植木鉢を支持するものである。
枠体４６の両端は、互いに平行するように折曲されて、取付具４７を形成する筒体４８の周壁面に溶着などによって一体化されている。
筒体４８は前述例の筒体と同様に、アーム３６にそって移動する管体よりなり、この筒体４８にも、アーム３６に対する固定手段４９が設けられ、この固定手段を形成するボルト等によって、この鉢受４５をアーム３６に取付けるものである。
図７で示した鉢受４０は、皿本体４１に植木鉢を乗せるのに対して、図８で示したこの鉢受４５は、枠体４６内に植木鉢を挿入するから、より安定した状態で植木鉢を支持できるものである。【００１１】  その他の例の鉢受として、図２で示した頂部鉢受５０について、図面を参照して説明する。図９は頂部鉢受の裏面側を示す斜視図である。
図９で示すように頂部鉢受５０は、植木鉢を乗せる皿本体５１と、この皿本体を支柱の頂部に取付ける取付具５２とからなる。皿本体５１は、図７で示した皿本体４１と同様のものである。
取付具５２は、図７で示したものと、その取付方向が異なるだけのもので、筒体５３と固定手段５４とも同じである。
図７との相違点は、支柱１２の頂部へ直接筒体５３を挿入して、植木鉢を乗せることにある。【００１２】  このように形成した起立手段２０と鉢設置体３０とは、支柱１２の一端を基台２１の受金具２３に挿入して、その固定手段２４によって両者を固定することにより、支柱１２を起立した状態に設定する。
更に、支柱１２の頂部より補助脚２５の筒体２６を挿入して、脚本体２８の先端部が地面に接地したり、土中に突刺したりした状態で、その固定手段２９によって、支柱１２と補助脚２５とを確実に固定する。
このような支柱１２の頂部から、鉢設置体３０を挿入して、その高さや鉢受４０の延出方向を設定してから、継手３１と支柱１２とを固定する。尚、支柱１２と鉢受４０との間隔も設定しておくと都合が良い。
このように構成した植木鉢スタンド１０の鉢受４０には、図示しない植木鉢を乗せて、空間を利用した立体的な展示を行うことができるものである。【００１３】  本発明の植木鉢スタンド１０を、更に有効活用するために、以下の付属品を使用している。この付属品は植木鉢を支柱１２の周囲に吊下げて用いるものであり、図面を参照して説明する。図１０は本発明の付属品としての掛止具を示す斜視図、図１１は他の掛止具を示す斜視図である。
図１０で示すように掛止具６０は、管材よりなる複数の掛止体６２とこれらの掛止体６２をその周壁面に取付けるための筒体６３とからなる。この筒体６３は支柱１２に挿入できる前述例の筒体と同様のものである。この筒体には支柱に取付けるための固定手段６４も、前述例と同様に設けている。
掛止体６２には、植木鉢を支持した棒体を挿入して、植木鉢を吊下げた状態で支持するものである。従って、この掛止具６０を支柱１２に取付けることで、植木鉢を支柱のまわりに配置できる付属品である。【００１４】  他の例の付属品である掛止具６５は、図１１で示すようにその断面をコ字形に折曲した掛止体６６と、この掛止体をその周壁面に取付ける筒体６８とからなる。この筒体６８も図１０で示した筒体と同様のものである。
この筒体６８にも、支柱１２への取付用となる固定手段６９を設けていることは同じである。
掛止体６６には、棒体又は帯状の片体よりなり、市販されている植木鉢用の吊下具を挿入して、植木鉢を吊下げた状態で支持するものであり、図１０で示したものより大きい植木鉢を、吊下げできるようにしたものである。このような掛止具６５も、筒体６８を支柱１２に取付けて、植木鉢を支柱１２のまわりに吊下げるためのものである。【００１５】  本発明の植木鉢スタンド１０に、温室効果を持たせた例について、図面を参照して説明する。図１２は温室効果を有する植木鉢スタンドの要部斜視図である。
植木鉢スタンドは、図１で示したものを使用すると共に、この植木鉢スタンドに透明シートを被せて温室効果を持たせたものであり、この温室装置について説明する。
この温室装置７０は、支柱１２の頂部に配設する第２の継手７１と、この継手から傘の骨状に取付けた複数本の第２のアーム７６と、この第２のアームを覆う透明シート７８とからなる。
これらの第２の継手７１と第２のアーム７６及び透明シート７８とについて、更に詳細に説明する。
第２の継手７１は、支柱１２の頂部に挿入して取付ける筒体７２と、この筒体７２の周壁面と略直交する方向で、放射状に突出させた管材よりなる複数の接続体７３と、筒体７２の中心軸に配設して、支柱１２の上方に突出させた管材よりなる接続体７４とからなる。
接続体７３と接続体７４とは、その突出方向を変えただけで、同じ管材を筒体７２に溶着して取付けている。筒体７２も前述例の筒体と同じであり、その一端側をふさいだ状態で、かつ接続体７４を突出させた構造である。
筒体７２と放射状に突出させた接続体７３には、図示の如く第２のアームを取付けると共に、筒体７２の軸芯と一致させて配設した接続体７４には、図示しないビーチパラソルなどの柄を挿入して取付けることで、植木鉢の花に雨が当らないように配慮している。【００１６】  第２のアーム７６は、その頂部側に湾曲部を形成した管材よりなり、接続体７３に取付けることで、傘の骨のような構造と作用とを持たせている。
この第２のアーム７６は、傘の骨のように支柱の頂部側だけに取付けられた長さでも良いし、接続体７３に取付けしない他端側を延長して、地面に接着させたり土中に突刺したりできるように設定した長さであっても良い。
この第２のアーム７６は、植木鉢スタンド１０の周囲を覆うような形で配設されるものである。
透明シート７８は、透明のビニールシート等よりなり、ドーム形に形成して複数本の第２のアーム７６を覆うように被せることで、温室を形成するものである。
この透明シート７８は、地面に接地させて、接地部が風などで動かないように取付けている。また、ドーム状の透明シートは、その一部にファスナー等を設けて、閉じたり開いたりすることによって、ドーム状の透明シートを開閉可能な状態に、形成するものである。【００１７】  本発明の植木鉢スタンド１０の使用において、鉢設置体３０を連接して配置することなく、支柱１２に間隔を設けて取付ける時は、間隔設定具を用いる。
この間隔設定具は、支柱１２に挿入できる筒体に、支柱への固定手段となるボルトとナットを取付けて、間隔設定具としている。この間隔設定具を支柱の任意の位置に固定して、その上側に鉢設置体３０の継手３１を配置すれば、継手３１を固着することなく、支柱を中心として回転できる状態で取付けすることができる。
この間隔設定具は図１１で示す掛止具６５を代用することも可能である。すなわち、この掛止具６５を支柱に固着して、その上側に鉢設置体３０を取付けても良い。
このような間隔設定具を適当な位置に配設して、鉢設置体３０を取付ければ、支柱１２に対して望む位置に植木鉢を配置することができる。【００１８】  植木鉢スタンド１０の起立手段２０として、コンクリートブロックよりなる基台２１を使用する例で説明したが、既存のコンクリート面にアンカーボルト等を打込んで、図３で示した受金具２３を使用すれば、基台本体２２を使用することなく、支柱１２を起立させることが可能で、補助脚２５も不要にすることができる。
このように基台本体２２を用いない起立手段２０でも可能である。
また、この植木鉢スタンド１０の２個を、互いに離間させて１対として配置し、それぞれの支柱１２に、図６で示した継手３１を取付けて、その副筒体３４同士に長いアームを取付けると、物干台としても使用することができる。周囲に花を飾った物干台としての使用も可能である。
この植木鉢スタンド１０の複数個を用いて、アームで接続させることによって、植木鉢による大きなディスプレーにすることができるもので、使用例を無限に拡大させることができる作用を持っている。
【図面の簡単な説明】
【００１９】
【図１】  本発明の植木鉢スタンドを示す斜視図である。
【図２】  図１の分解斜視図である。
【図３】  図２で示した基台の分解斜視図である。
【図４】  図２で示した補助脚の要部分解斜視図である。
【図５】  図２で示した鉢設置体の一部を破断して示す分解斜視図である。
【図６】  図５で示す継手の斜視図である。
【図７】  図５で示した鉢受の裏面側を示す斜視図である。
【図８】  他の例の鉢受を示す斜視図である。
【図９】  図２で示した頂部鉢受の裏面側を示す斜視図である。
【図１０】  本発明の付属品としての掛止具を示す斜視図である。
【図１１】  他の掛止具を示す斜視図である。
【図１２】  温室装置を設けた植木鉢スタンドの要部斜視図である。
【符号の説明】
【００２０】１０  植木鉢スタンド
１２  支柱
２０  起立手段
２１  基台
２５  補助脚
３０  鉢設置体
３１  継手
３２  主筒体
３４  副筒体
３６  アーム
４０  鉢受
４５  鉢受
５０  頂部鉢受
６０  掛止具
６５  掛止具
７０  温室装置
７１  第２の継手
７６  第２のアーム
７８  透明シート
【図１】
2006006295.tif 000003
【図２】
2006006295.tif 000004
【図３】
2006006295.tif 000005
【図４】
2006006295.tif 000006
【図５】
2006006295.tif 000007
【図６】
2006006295.tif 000008
【図７】
2006006295.tif 000009
【図８】
2006006295.tif 000010
【図９】
2006006295.tif 000011
【図１０】
2006006295.tif 000012
【図１１】
2006006295.tif 000013
【図１２】
2006006295.tif 000014